(57)【要約】      （修正有）【課題】髪を傷つける恐れが少なく、弾力の強い髪質の人にも適した、耳に装着する髪止め具を提供する。【解決手段】耳の後ろ側に掛ける弓形の耳掛け部材１の前端に、鬢を巻き取り留めておくため髪止め部材２を装着したものである。装着時には、耳の付け根の上端を境にして、耳の後ろ側には弓形の耳掛け部材１を、耳の表側には髪止め部材２、それぞれ配した状態をとる。そして、弓形の耳掛け部材１を耳の後ろ側に掛けて、髪止め部材２で、留めておくべき鬢を巻き取り、耳珠付近に垂らして保持する。この際、髪止め部材２は、鬢をゆるくまとめておくことができるように十分な大きさを与え、鬢を強く締め付けることがないようにする。【選択図】図１
0003156608.tif 000002
【実用新案登録請求の範囲】
【請求項１】
弓形の耳掛け部材（１）の一端に髪止め部材（２）を設けたことを特徴とする耳掛け式髪止め具。
【請求項２】
前記の髪止め部材（２）が、螺旋形髪止め部材（３）または弧形髪止め部材（４）であることを特徴とする請求項１に記載の耳掛け式髪止め具。
【請求項３】
前記の髪止め部材（２）が、紐状部材の輪のであることを特徴とする請求項１に記載の耳掛け式髪止め具。
【請求項４】
前記の髪止め部材（２）が、人体の頭部を半周するほどの長さの紐状部材（５）を用い、前記の二つの弓形の耳掛け部材（１）の一端同士を連結したことを特徴とする請求項１に記載の耳掛け式髪止め具。
【請求項５】
前記の髪止め部材（２）が、櫛の付いた板（６）であることを特徴とする請求項１に記載の耳掛け式髪止め具。
【考案の詳細な説明】
【技術分野】
【０００１】
本考案は、耳に装着することで着脱時に髪を傷つける危険性を軽減し、太く強い弾力を持った髪質の人にも適した、耳掛け式髪止め具に関するものである。
【背景技術】
【０００２】
従来、髪を束ねるための髪止め具は、金属または人工樹脂または天然ゴムの弾性を利用して装着状態を維持し、髪の全部または一部を束ねたままの状態を保持するものであった。また、これらの髪止め具とは別に、耳に引っ掛けながら前端を耳介の上縁と側頭部の間に挟み込んで固定する、髪止め具も考案されていた。
【先行技術文献】
【特許文献】
【０００３】
【特許文献１】登録実用新案公報第３１４９９３３号
【考案の概要】
【考案が解決しようとする課題】
【０００４】
従来の髪止め具は、素材の弾性を用いて、髪を束ねるものであった。これらの髪止め具は、強く締め付けることで髪を傷つけたり、見えない位置で器具の弾性に逆らう力を加えて操作することから、器具や指に絡んだ毛髪を不用意に引っ張って切れ毛を生じることがしばしばあった。
【０００５】
上記の欠点に関し、本件出願人が先に考案していた実用新案登録第３１４９９３３号は、毛髪に直接装着するのではなく、耳に装着することでこれらの欠点を補うものであった。
しかし、実用新案登録第３１４９９３３号にも上記とは別の欠点があった。実用新案登録第３１４９９３３号は、耳の後ろ側に掛けながら、前端を耳介の上縁と側頭部の間に挟み込んで装着する耳掛け式髪止め具であり、鬢を耳の上部と後方に押しやり塞き止めるものであった。すなわち、その装着場所の特徴はすべての構成要素が耳の表側にはなく、耳の後ろ側と上側に位置するものであった。また、装着した状態の特徴は、耳の表側の全面を露出した状態となった。このために、実用新案登録第３１４９９３３号の考案は、鬢を後方に押しやった状態をつくることから、太く強い弾力を持った髪質の人や強いウェーブの掛かった髪の人にとっては長時間の状態維持が困難であった。
尚、この文中において、耳の表側とは、耳のうち耳介を挟んで顔側、すなわち髪の毛のない状態で顔を斜め前方から見たときに露出している耳の部分を指す。
本考案はこれらの欠点を軽減するためのものである。
【課題を解決するための手段】
【０００６】
請求項１に記載の本考案は、耳の後ろ側に掛ける弓形の耳掛け部材（１）の前端に、鬢を巻き取り留めておくため髪止め部材（２）を装着したものである。
本考案の装着時には、耳の付け根の上端を境にして、耳の後ろ側には弓形の耳掛け部材（１）を、耳の表側には髪止め部材（２）、それぞれ配した状態をとる。そして、弓形の耳掛け部材（１）を耳の後ろ側に掛けて、髪止め部材（２）で、留めておくべき鬢を巻き取り、耳珠付近に垂らして保持する。この際、髪止め部材（２）は、鬢をゆるくまとめておくことができるように十分な大きさを与え、鬢を強く締め付けることがないようにする。
尚、耳の表側とは、耳のうち耳介を挟んで顔側、すなわち髪の毛のない状態で顔を斜め前方から見たときに露出している部分を指す。
【０００７】
さらに次のような応用がある。
請求項２に記載の本考案は、前記の髪止め部材（２）として、鬢を絡げ取るための螺旋形髪止め部材（３）または弧形の髪止め部材（４）を装着したものである。
【０００８】
請求項３に記載の本考案は、前記の髪止め部材（２）として、鬢を巻き止めるための紐状部材の輪を装着したものである。
【０００９】
請求項４に記載の本考案は、前記の髪止め部材（２）代わりに、人体の頭部を半周するほどの長さの紐状部材（５）で、左右の耳に掛ける二つの弓形の耳掛け部材（１）の一端同士を連結し、鬢と後ろ髪を同時に巻き取る構造を与えたものである。
【００１０】
請求項５に記載の本考案は、前記の髪止め部材（２）の代わりに、櫛の付いた板（６）を装着したものである。
尚、この文中において紐状部材とは、紐、糸、チェーン、ワイヤー、折り曲げの自由な細い樹脂や金属を指す。
本考案は以上の構造を持った、耳掛け式髪止め具である。
【考案の効果】
【００１１】
本考案は髪自体を締め付けて固定するわけではないことから、着脱時に髪を傷つけることが少ない。
また鬢は、強いて耳の後方に押しやり留めるのではなく、より自然な位置に近い耳珠の付近に垂らすことになり、太く強い弾力を持った髪質の人や強いウェーブの掛かった髪の人にとっても長時間の状態維持が容易となる。
【００１２】
請求項1から４に記載の本考案は、装着した状態において、束ねられた鬢が、鬢の重みによって顔の前方へ垂れ落ちようとするので、本考案を前方へ引き出そうとする力がわずかながら働く。しかし、耳の裏側にかけた弓形の耳掛け部材（１）が、前方から伝わる張力を引きとどめる。その結果、実用新案登録第３１４９９３３号のように耳介の上縁と側頭部の間に挟み込んで固定しなくても安定した装着状態が維持される。
【００１３】
請求項５に記載の本考案は、前記の髪止め部材（２）の代わりに、櫛の付いた板（６）を装着したものである。請求項５の本考案は、請求項1から４のように鬢の重さによって前方へ向かって働く張力によって支えるものではなく、櫛（６ａ）の部分を髪の中に差し込むことによって安定した装着状態を得るものである。
【図面の簡単な説明】
【００１４】
【図１】請求項１に記載の本考案（片耳分）の斜視図である。
【図２】請求項１に記載の本考案（片耳分）の側面図である。
【図３】請求項１に記載の本考案（片耳分）の正面図である。
【図４】透視を太い点線で表した請求項１に記載の本考案装着時の模式図である。
【図５】請求項１に記載の本考案装着時の顔全体の模式図である。
【図６】髪止め部材（２）が螺旋形髪止め部材（３）である請求項２に記載の本考案（左耳用）の斜視図である。
【図７】髪止め部材（２）が螺旋形髪止め部材（３）である請求項２に記載の本考案（左耳用）の右側面図である。
【図８】髪止め部材（２）が螺旋形髪止め部材（３）である請求項２に記載の本考案（左耳用）の左側面図である。
【図９】透視を太い点線で表した、髪止め部材（２）が螺旋形髪止め部材（３）である請求項２に記載の本考案装着時の模式図である。
【図１０】髪止め部材（２）が弧形の髪止め部材（４）である請求項２に記載の本考案（左耳用）の斜視図である。
【図１１】髪止め部材（２）が弧形の髪止め部材（４）である請求項２に記載の本考案（左耳用）の右側面図である。
【図１２】髪止め部材（２）が弧形の髪止め部材（４）である請求項２に記載の本考案（左耳用）の左側面図である。
【図１３】髪止め部材（２）が弧形の髪止め部材（４）である請求項２に記載の本考案（左耳用）の平面図である。
【図１４】透視を太い点線で表した、髪止め部材（２）が弧形の髪止め部材（４）である請求項２に記載の本考案装着時の模式図である。
【図１５】請求項４に記載の本考案の斜視図である。
【図１６】請求項４に記載の本考案の片方の弓形の耳掛け部材（１）の側面図である。
【図１７】請求項４に記載の本考案の紐状部材（５）の平面図である。
【図１８】透視を太い点線で表した請求項４に記載の本考案装着時の模式図である。
【図１９】請求項４に記載の本考案装着時の人体頭部後方の模式図である。
【図２０】請求項５に記載の本考案（左耳用）の正面図である。
【図２１】請求項５に記載の本考案（左耳用）の右側面図である。
【図２２】請求項５に記載の本考案（左耳用）の左側面図である。
【図２３】請求項５に記載の本考案の斜視図である。
【図２４】透視を太い点線で表した請求項５に記載の本考案装着時の模式図である。
【考案を実施するための形態】
【００１５】
以下、本考案を実施するための形態について説明する。
耳の後ろ側に掛ける弓形の耳掛け部材（１）の下端は皮膚に接して痛みを生じないよう丸み（１ｂ）を持たせる。
請求項１に記載の本考案は、弓形の耳掛け部材（１）の前端に、小さなフック（１a）を装着する。鬢を巻き取り留めておくため紐状部材の両端に小さな輪（２ｂ）のを装着したものである。弓形の耳掛け部材（１）の前端の小さなフック（１a）に、紐状部材の両端の小さな輪（２ｂ）を掛けることによって、鬢を巻き取る輪となる。
請求項２に記載の本考案は、弓形の耳掛け部材（１）の前端に一体となって続く鬢を絡げ取るための螺旋形髪止め部材（３）または弧形の髪止め具（４）を装着する。
請求項３に記載の本考案は、弓形の耳掛け部材の耳掛け部材（１）の前端に、鬢を塞き止めるための紐状部材の輪を装着する。
請求項４に記載の本考案は、耳の後ろ側に掛ける弓形の耳掛け部材（１）の前端に、小さなフック（１a）を装着したものを二つ用意する。そして、人体の頭部を半周するほどの長さの紐状部材（５）の両端に小さな輪（５ｂ）を装着する。二つの弓形の耳掛け部材（１）の前端の小さなフック（１a）に、紐状部材（５）の両端の小さな輪（５ｂ）をそれぞれ掛けることによって、三者が連結する。これにより、二つの弓形の耳掛け部材（１）を両耳の後ろ側に掛けることによって、鬢と後ろ髪を同時に束ねる構造となる。
請求項５に記載の本考案は、弓形の耳掛け部材（１）の前端に一体となって続く、櫛の付いた板（６）を装着する。
本考案は以上のような構造である。
【符号の説明】
【００１６】
１  弓形の耳掛け部材 
１ａ  フック
１ｂ  丸み
２  髪止め部材
２b  小さな輪  
３  螺旋形髪止め部材
４  弧形の髪止め部材
５  紐状部材
５ｂ  小さな輪
６  櫛の付いた板
６a  櫛 
７  髪の毛
【図１】
0003156608.tif 000003
【図２】
0003156608.tif 000004
【図３】
0003156608.tif 000005
【図４】
0003156608.tif 000006
【図５】
0003156608.tif 000007
【図６】
0003156608.tif 000008
【図７】
0003156608.tif 000009
【図８】
0003156608.tif 000010
【図９】
0003156608.tif 000011
【図１０】
0003156608.tif 000012
【図１１】
0003156608.tif 000013
【図１２】
0003156608.tif 000014
【図１３】
0003156608.tif 000015
【図１４】
0003156608.tif 000016
【図１５】
0003156608.tif 000017
【図１６】
0003156608.tif 000018
【図１７】
0003156608.tif 000019
【図１８】
0003156608.tif 000020
【図１９】
0003156608.tif 000021
【図２０】
0003156608.tif 000022
【図２１】
0003156608.tif 000023
【図２２】
0003156608.tif 000024
【図２３】
0003156608.tif 000025
【図２４】
0003156608.tif 000026
【手続補正書】
【提出日】平成21年8月4日(2009.8.4)
【手続補正１】
【補正対象書類名】実用新案登録請求の範囲
【補正対象項目名】全文
【補正方法】変更
【補正の内容】
【実用新案登録請求の範囲】
【請求項１】
耳の後ろ側に掛ける弓形の耳掛け部材の一端に、鬢をゆるくまとめておくための髪止め部材を設けたことを特徴とする耳掛け式髪止め具。
【請求項２】
前記の髪止め部材が、鬢を絡げ取るための螺旋形髪止め部材または弧形髪止め部材であることを特徴とする請求項１に記載の耳掛け式髪止め具。
【請求項３】
前記の髪止め部材が、鬢をゆるくまとめておくための紐状部材の輪であることを特徴とする請求項１に記載の耳掛け式髪止め具。
【請求項４】
前記の髪止め部材に、人体の頭部を半周するほどの長さの紐状部材を用い、前記の二つの弓形の耳掛け部材の一端同士を連結したことを特徴とする請求項１に記載の耳掛け式髪止め具。
【請求項５】
前記の髪止め部材が、櫛の付いた板であることを特徴とする請求項１に記載の耳掛け式髪止め具。
【手続補正２】
【補正対象書類名】明細書
【補正対象項目名】０００６
【補正方法】変更
【補正の内容】
【０００６】  請求項１に記載の本考案は、耳の後ろ側に掛ける弓形の耳掛け部材（１）の前端に、鬢をゆるくまとめて、留めておくため髪止め部材（２）を装着したものである。
本考案の装着時には、耳の付け根の上端を境にして、耳の後ろ側には弓形の耳掛け部材（１）を、耳の表側には髪止め部材を（２）、それぞれ配した状態をとる。そして、弓形の耳掛け部材（１）を耳の後ろ側に掛けて、髪止め部材（２）で、留めておくべき鬢をゆるくまとめ、耳珠付近に垂らして保持する。この際、髪止め部材（２）は、鬢をゆるくまとめておくことができるように十分な大きさを与え、鬢を強く締め付けることがないようにする。
尚、この文中において、髪止め部材（２）とは、請求項２から５に記載した、螺旋形髪止め部材（３）、弧形の髪止め部材（４）、紐状部材の輪、紐状部材（５）、櫛の付いた板（６）を総称したものであり、髪をゆるく束ねる機能を有する部分の名称である。
また、耳の表側とは、耳のうち耳介を挟んで顔側、すなわち髪の毛のない状態で顔を斜め前方から見たときに露出している部分を指す。
【手続補正３】
【補正対象書類名】明細書
【補正対象項目名】０００９
【補正方法】変更
【補正の内容】
【０００９】  請求項４に記載の本考案は、前記の髪止め部材（２）として、人体の頭部を半周するほどの長さの紐状部材（５）で、左右の耳に掛ける二つの弓形の耳掛け部材（１）の一端同士を連結し、鬢と後ろ髪を同時に束ねる構造を与えたものである。
【手続補正書】
【提出日】平成21年10月7日(2009.10.7)
【手続補正１】
【補正対象書類名】実用新案登録請求の範囲
【補正対象項目名】全文
【補正方法】変更
【補正の内容】
【実用新案登録請求の範囲】
【請求項１】
鬢をとりまとめて鬢が耳元より前方に移動するのを防ぐための、後方に凹側を向けた括弧状の形状を構造の一部に有している髪止め部材を、耳の後ろ側に掛ける弓形の耳掛け部材の一端に設けたことを特徴とする耳掛け式髪止め具。
【請求項２】
耳の後ろ側に掛ける弓形の耳掛け部材の一端に、鬢をゆるくとりまとめておくための螺旋形髪止め部材または弧形髪止め部材を装着したことを特徴とする耳掛け式髪止め具。
【請求項３】
耳の後ろ側に掛ける弓形の耳掛け部材の一端に、鬢をゆるくまとめておくための紐状部材の輪を装着したことを特徴とする耳掛け式髪止め具。
【請求項４】
人体の頭部を半周するほどの長さの紐状部材を用い、左右の耳の後ろ側に掛ける二つの弓形の耳掛け部材の一端どうしを連結したことを特徴とする、鬢と後ろ髪を同時に束ねるための耳掛け式髪止め具。
【請求項５】
耳の後ろ側に掛ける弓形の耳掛け部材の一端に、鬢を固定するための櫛の付いた板を装着したことを特徴とする耳掛け式髪止め具。
【手続補正２】
【補正対象書類名】明細書
【補正対象項目名】０００６
【補正方法】変更
【補正の内容】
【０００６】    請求項１に記載の本考案は、鬢をとりまとめて鬢が耳元より前方に移動するのを防ぐための、後方に凹側を向けた括弧状の形状を構造の一部に有した髪止め部材（２）を、耳の後ろ側に掛ける弓形の耳掛け部材（１）の前端に装着したものである。
ここで、上記の髪止め部材（２）ついて付記する。髪止め部材（２）は、前方が括弧の凸側、後方が括弧の凹側の形状を構造の一部に有し、その凹側で鬢をとりまとめ、鬢が耳元より前方に移動することを阻止する部材に与えた名称である。すなわち、髪止め部材（２）とは、弧形はもちろん、円形や輪など前後両方に閉じた括弧状の形状をも含むものである。さらに、髪止め部材（２）は、鬢を強く締め付ける「結束」を目的とする構造ではなく、鬢の束が容易に離散しない程度に取りまとめておくことを目的とする構造である。
本考案の装着時には、耳の付け根の上端を境にして、耳の後ろ側には弓形の耳掛け部材（１）を、耳の表側には髪止め部材を（２）、それぞれ配した状態をとる。この構造により、弓形の耳掛け部材（１）を耳の後ろ側に掛けて、髪止め部材（２）で、留めておくべき鬢をゆるくまとめ、耳珠付近に垂らして保持する。
尚、この文中において、耳の表側とは、耳のうち耳介を挟んで顔側、すなわち髪の毛のない状態で顔を斜め前方から見たときに露出している部分を指す。